(57)【要約】      （修正有）【課題】食事を美味しく見せる照明であって、インテリア機能（デザイン性）を持たせた照明器具を備えた食事を美しく見せる器材の構造を提供する。【解決手段】食器用の皿１の係止部に、スタンド２の被係止部を差込み、スタンドを立設し、かつスタンドは、皿に取付け、又は取外しできる。このスタンドに取り付けた照明器具で、皿に盛った食べ物を照射できる、照明器具を備えた食事を美しく見せる皿の構造であり、食事を美味しく見せる照明「食事の雰囲気を高める照明」を達成し、インテリア機能（デザイン性）を持たせた照明付き皿である。カメラマンによる料理写真の撮影時と同様の効果が期待できる。【選択図】図１
0003200485.tif 000002
【実用新案登録請求の範囲】
【請求項１】
皿、器、丼、茶碗の食器用の器材には係止部を形成し、この係止部に立設するスタンドには被係止部を形成し、この係止部とこの被係止部とによる係止関係を利用し、前記スタンドを、前記器材に取付け、又は取外しできる構成とし、この取付けたときには、前記スタンドに設けた照明器具で、前記器材に盛った食べ物を、照射できる構成としたことを特徴とする照明器具を備えた食事を美しく見せる器材の構造。
【請求項２】
前記スタンドの本体脚部には、スイッチ、電池と、又は電池と照明器具とを繋ぐコードと、を有する構成とした請求項１に記載の照明器具を備えた食事を美しく見せる器材の構造。
【請求項３】
前記係止部は、器材に設けた孔、器材に設けた突起、器材の一部、又は器材の輪郭とする構成とした請求項１に記載の照明器具を備えた食事を美しく見せる器材の構造。
【請求項４】
前記被係止部は、スタンドの脚、環体、ベルト、又はグリップとする構成とした請求項１に記載の照明器具を備えた食事を美しく見せる器材の構造。
【請求項５】
前記照明器具は、白熱電球類、ＬＥＤランプ、又は蛍光ランプとする構成とした請求項１に記載の照明器具を備えた食事を美しく見せる器材の構造。
【考案の詳細な説明】
【技術分野】
【０００１】
本考案は、照明器具を備えた食事を美しく見せる器材の構造（照明器具を備えたスタンドを取付け、取外しできる皿、器、丼、椀の食器用の器材）に関し、趣旨は、食事を美味しく見せる照明に関する。
【背景技術】
【０００２】
このように、食事を美味しく見せる照明の利点は、次のような背景がある。インテリア機能（デザイン性）を持たせた照明を食器皿に固定し、食材や食器の色艶を美しく美味しく見せることであって、例えば、プロのカメラマンが料理の写真を撮影するとき、必ず照明を当て、明るさ等を調整する。理由は、料理や素材、食器を美しく美味しく見せるためである。
【０００３】
しかし、現実は、普段、レストラン、料理店では、お皿や茶碗等の食器やお店のインテリアや照明等の調度品には工夫するが、実際に提供する料理に対して、写真を撮影する時のように照明を当てることはない。
【０００４】
上記に鑑み、本出願人は、１つは「食事を美しく見せる照明」、２つは「食事の雰囲気を高める照明」であり、換言すると、料理を味わう前に、その料理の色艶や形を見て楽しむ環境を作り出すことで、食事を美味しく楽しんでもらえるように、その演出をお手伝いする照明を考えており、今回、出願することとなった。また、市場に新たな、商品の提供を行い、市場の活性化と雇用の促進等を意図する。
【０００５】
その一例は、下記となる。
【０００６】
１．「食事を美しく見せる照明」であり、料理に当てる照明の光の質をより厳密に選択する。照明には、白熱電球類、ＬＥＤランプ、蛍光ランプ等、様々な光源の種類がある。その中でより食材の色艶を良く見せ、美味しく見せる白熱電球類、若しくは省エネに対応した暖色系のＬＥＤランプを採用する（電球色タイプ）。シチュエーションにより照明の種類を選択できるシステムにする。
【０００７】
２．「食事の雰囲気を高める照明」であり、照明機器のインテリア性を高める→基本は、各パーツの形態、例えば、カバー（ヘッド）を花形として、食事をする時のシチュエーションに合わせた各パーツのデザイン（ヘッドのデザイン）を提案、開発することを意図する。そのために、一例として、（１）各パーツの構造、例えば、カバー（いわゆる照明カバー）の材質は、陶器、ガラス、和紙、樹脂、その他、（２）カバーの種類は、花（一輪挿し）、提灯、行灯（あんどん）、街灯、和風、洋風、エスニック、キャラクター（ミッキー「登録商標」、キティ「登録商標」等）の形状、料理の季節感を足すカバーの種類など、様々な形態が提案できる。（３）食べ終わったら、専用のケースに入れて持ち帰ることができるようにして、記念日や結婚式の引出物、プレゼントに。おもてなし、料理の付加価値として、また創作料理の一要素として。高級料亭、旅館、三ツ星レストラン、テーマパークのレストランなどでの利用。プロポーズ、記念日、結婚式、祝い事、正月、クリスマス、バレンタイン、母の日などのイベントに合わせた演出のために、などが考えられる。
【０００８】
以上の考えを基に、先行調査をした結果では、皿、茶碗等の器に他のものを設けた（取付け、取外し自在とした）構成とした考案と、フレキシブルアーム（伸縮アーム）と食器、及び照明器具との発明に留まっている。
【０００９】
この考案は、実開平２−１３２４７８号公報の皿にコップ立ての孔、筒を設けた構造と、実開昭５２−１１１２８０号公報の皿に草木等を差込む孔とパッキンを設けた構造とが開示されている（文献（１）と文献（２）とする）。また、発明は、特開２０１４−１５９０７０号公報の食器等の固体物に設けた伸縮アームに、照明器具を取付けた構造が示されている（文献（３）とする）。
【００１０】
【特許文献１】実開平２−１３２４７８号公報
【特許文献２】実開昭５２−１１１２８０号公報
【特許文献３】特開２０１４−１５９０７０号公報
【考案の概要】
【考案が解決しようとする課題】
【００１１】
文献（１）と、文献（２）は、皿とか食器を利用して、美しさを表現するに留まっており、少なくとも、前記２に示した「食事の雰囲気を高める照明」に関する事柄には、達していない。
【００１２】
また、文献（３）は、伸縮アームに照明器具を取付け、明るさを保つものであり、少なくとも、前述した、「食事の雰囲気を高める照明」に関する事柄には、到底、達していない。
【課題を解決するための手段】
【００１３】
前述の文献（１）〜（３）では達成できない、「食事の雰囲気を高める照明」を達成して、前述した各パーツの形態として、食事をする時のシチュエーションに合わせた各パーツのデザインを提案、開発し、それぞれのイベントにマッチした食事の提案を意図しつつ、産業促進と人の交流と働きとを達成する。
【００１４】
これらの手段として請求項１〜請求項５を提案する。
【考案の効果】
【００１５】
請求項１の考案は、皿、器、丼、茶碗の食器用の器材（本体の一部とか、本体の外輪、又は本体の外輪の一部）には係止部を形成し、係止部に立設するスタンドには被係止部を形成し、係止部と被係止部とによる係止関係を利用し、スタンドを、器材に取付け、又は取外しできる構成とし、取付けたときには、スタンドに設けた照明器具で、器材に盛った食べ物を、照射できる照明器具を備えた食事を美しく見せる器材の構造であり、食事を美味しく見せる照明「食事の雰囲気を高める照明」の達成を介して、インテリア機能（デザイン性）を持たせた照明を食器皿に固定し、食材や食器の色艶を美しく美味しく見せる構成（例えば、プロのカメラマンが料理の写真を撮影するとき、必ず照明を当て、明るさ等を調整し、料理や素材、食器を美しく美味しく見せるための手段）とし利用できる。また、時宜と場に合わせた演出を提供できる。
【００１６】
請求項２の考案は、スタンドの本体脚部には、スイッチ、電池と、又は電池と照明器具とを繋ぐコードと、を有する照明器具を備えた食事を美しく見せる器材の構造であり、請求項１の特徴達成と、そのために必要とするスタンドの最適な構造を提案できる。
【００１７】
請求項３の考案は、係止部は、器材に設けた孔、器材に設けた突起、器材の一部、又は器材の輪郭とする照明器具を備えた食事を美しく見せる器材の構造であり、請求項１の特徴達成と、そのために必要とする係止部の最適な構造を提案できる。
【００１８】
請求項４の考案は、被係止部は、スタンドの脚、環体、ベルト、又はグリップとする照明器具を備えた食事を美しく見せる器材の構造であり、請求項１の特徴達成と、そのために必要とする被係止部の最適な構造を提案できる。
【００１９】
請求項５の考案は、照明器具は、白熱電球類、ＬＥＤランプ、又は蛍光ランプとする照明器具を備えた食事を美しく見せる器材の構造であり、請求項１の特徴達成と、そのために必要とする照明の最適な構造を提案できる。
【図面の簡単な説明】
【００２０】
【図１】照明器具を備えた食事を美しく見せる器材の構造であり、その器材にスタンドを差込み自在とする（取付け、取外しできる）第一例を示した模式図
【図１−１】図１の要部（スタンドと、孔、並びにパッキン）を分解して示した模式図
【図１−１−１】図１の第一例において、器材の孔に取付けるパッキンの一例を示した拡大模式図
【図１−１−２】図１の第一例において、スタンドの基端に取付けるパッキンの一例を示した拡大模式図
【図２】照明器具を備えた食事を美しく見せる器材の構造であり、その器材にスタンドを差込み自在とする第二例を示した模式図
【図２−１】図１の要部（スタンドと、突起）を分解して示した模式図
【図３】照明器具を備えた食事を美しく見せる器材の構造であり、その器材にスタンドを差込み自在とする第三例で、器材とスタンドとを分解して示した模式図
【図４】照明器具を備えた食事を美しく見せる器材の構造であり、その器材にスタンドを差込み自在とする第四例で、器材とスタンドとを分解して示した模式図
【図５】照明器具を備えた食事を美しく見せる器材の構造であり、その器材にスタンドをクリップ（山形クリップ）で挾持する第一例で、器材とスタンドとを固定する状態を示した模式図
【図６】照明器具を備えた食事を美しく見せる器材の構造であり、その器材にスタンドをシリコンクリップで挾持する第二例で、器材とスタンドとを固定する状態を示した模式図
【図７】照明器具を備えた食事を美しく見せる器材の構造であり、その器材にスタンドを環状グリップで抱持する第一例で、器材とスタンドとを固定する状態を示した模式図
【図７−１】図７の要部（環状グリップ及びスタンド）を分解して示した模式図
【図８】照明器具を備えた食事を美しく見せる器材の構造であり、その器材にスタンドを帯状グリップで抱持する第二例で、器材とスタンドとを固定する状態を示した模式図
【図９】照明器具を備えた食事を美しく見せる器材の構造であり、その器材にスタンドを挟み込む第一例で、器材とスタンドとを分解して示した模式図
【図１０】図１の第一例において、スタンドに薬味皿を付設した一例を示した模式図
【図１１】照明器具を備えた食事を美しく見せる器材の構造であり、そのスタンドの他の一例を示した模式図
【考案を実施するための形態】
【００２１】
図１〜図４に関しては、陶器、ガラス、樹脂、金属、和紙等でなる皿、器、丼、茶碗の食器用の器材１に、差込み方式で、スタンド２を設ける構造であり、このスタンド２には、白熱電球類、ＬＥＤランプ、蛍光ランプ等の照明３と、スイッチ４と、電池５（単四、単三、ボタン電池、ソーラー電池の自立型電源とすることと、小型化とする）、並びにコード６（シンプルな配線と配置とする）、カバー７（シェード）等を備える。そして、このスタンド２の脚部２０ａは、器材１の一部に設けた係止部１０に差込み支持される。係止部１０は、種々の形状があり、例えば、器材１の端部１ａ、図示しないが、センターとか、その他の部位等に形成される。図１〜図１−１−２に示した第一例のパッキン１１ａ付き孔１０ａとか、図２−１（図２）に示した第二例の突起１０ｂとか、図３に示した第三例の裏面側の突起１０ｂとか、図４に示した第四例の咥え込む係止溝１０ｃとかが考えられる。これに対応して、被係止部２０は、種々の形状があり、例えば、スタンド２の形態である。図１〜図１−１−２に示したパッキン１１ｂ付き脚部２０ａとか、図２−１（図２）と、図３に示した第二・第三例に示した脚部２０ａに凹設した孔２０ｂとか、又は図４に示した第四例の脚部２０ａに凹設した係止切欠２０ｃとかが考えられる。器材１は、耐熱を検討する必要がある。スタンド２は可撓性とか、入れ子式、二股式等を検討する。
【００２２】
この図１〜図１−１−２に示した孔１０ａ、及び／又は、パッキン１１ａには、脚部２０ａ、及び／又は、パッキン１１ｂを差込み（抜差し）自在として、取付け、取外しできる。また、図２、図２−１と、図３に示した突起１０ｂに孔２０ｂを、同じように差込みできる。さらに、図４に示した係止溝１０ｃに係止切欠２０ｃを、同じように差込みできる。原則として、この各例は、専用の器材１とする。
【００２３】
そして、各例とも、器材１にスタンド２を、例えば、ワンタッチの所作で固定し、図示しない、食材を盛り、料理を提供する際に、照明３を付けることで、料理とか器材１を、美しく、かつ美味に見せ得る。また、図示しないが、室内の照明を消して、この料理とか器材１を浮び上がらせることも可能である。
【００２４】
この各例では、器材１よりスタンド２を、例えば、ワンタッチの所作で取外して、洗い、かつ保管できる。また、スタンド２は、原則として、別に保管する。
【００２５】
続いて、図５、図６は、係止部１０が、器材１の端部１ａに設けられており、この係止部１０に、被係止部２０（スタンド２）を取付け、取外し自在に設ける（挾持する）。図５の第一例では、洗濯バサミのようなビニール系被覆素材でなる、所謂、挟み付け方式であり、かつゴム、シリコーンでなる保護材、又は防滑性等を備えたクリップ３０で挾持する。また、図６の第二例では、シリコーンゴム等の伸縮性等のクリップ３０を介して圧縮状態で挾持する。尚、図示しないが、容易な固定を考え、目印を付した係止部１０とすることも可能である。また、強力マグネットで器材１を、挟んで、その磁力で固定する。洗濯バサミのようなビニール系被覆素材で。器材１に設けた金属（埋め込み、展着、後付け等も可能）と、スタンド２の脚部２０ａの磁石とで、磁着する方式とか、器材１に磁石を設け、スタンド２に金属を設ける逆パターンも可能である。この各例では、各部材を傷めず優れている。その他の構造と効果は、前述の各例に準ずる。
【００２６】
また、図７と図７−１は、スタンド２の基端に可撓性、例えば、環状グリップ３１を設け、この環状グリップ３１で器材１の外周部１ｂを抱持する方式であり、環状グリップ３１をシリコーン素材、スプリング素材、その他金属素材等で構成する。尚、スタンド２と環状グリップ３１とは、一体型でも、別体構造でも可能である。この例では、器材１の外周部１ｂを、環状グリップ３１で抱持する。その他の構造と効果は、前述の各例に準ずる。尚、図示しないが、糸底を抱持することで、防滑性が期待できる。また、形状、厚み、又は幅等は限定されない。
【００２７】
図８は、原則として、図７の例の変形例であり、環状グリップ３１に代替して、ベルト式グリップ３２とする構造であり、器材１の例えば、裏面側から表面側の一部に抱持する。その他は、図７の例に準ずる。
【００２８】
図９は、突起１０ｂの変形例であり、対で形成することと、スタンド２の変形例であり、脚部２０ａに対で係止突起３３を形成する。この突起１０ｂに係止突起３３を取付け、取外し自在に設ける（着脱自在とする）構造であり、例えば、前述の各例に併せて、安定的な設置ができる。その他は、前述の各例に準ずる。
【００２９】
図１０は、スタンド２に薬味、又は調味料、嗜好品等を収容可能とした薬味皿３５を取付けできる構造であり、必要により、取付けられる。また、取外しもできる。
【００３０】
前述した各実施例等は、本考案の好ましい一例の説明である。各実施例とか図面に限定されない。従って、考案の趣旨の範囲において構成の一部を変更する構造とか、同じ特徴と効果を達成できる構造、等は、本考案の範疇である。
【符号の説明】
【００３１】
１  器材
１ａ  端部
１ｂ  外周部
２  スタンド
３  照明
４  スイッチ
５  電池
６  コード
７  カバー
１０  係止部
１０ａ  孔
１０ｂ  突起
１０ｃ  係止溝
１１ａ  パッキン
１１ｂ  パッキン
２０  被係止部
２０ａ  脚部
２０ｂ  孔
２０ｃ  係止切欠
３０  クリップ
３１  グリップ
３２  グリップ
３３  係止突起
３５  薬味皿
【図１】
0003200485.tif 000003
【図１−１】
0003200485.tif 000004
【図１−１−１】
0003200485.tif 000005
【図１−１−２】
0003200485.tif 000006
【図２】
0003200485.tif 000007
【図２−１】
0003200485.tif 000008
【図３】
0003200485.tif 000009
【図４】
0003200485.tif 000010
【図５】
0003200485.tif 000011
【図６】
0003200485.tif 000012
【図７】
0003200485.tif 000013
【図７−１】
0003200485.tif 000014
【図８】
0003200485.tif 000015
【図９】
0003200485.tif 000016
【図１０】
0003200485.tif 000017
【図１１】
0003200485.tif 000018